(57)【要約】      （修正有）【課題】内側連通部からの水の侵入を抑制することができる機器収容箱を低コストで提供する。【解決手段】機器が収容される収容空間１ｓを形成する機器収容箱１０であって、鉛直方向下方側に配置される底部１ｆは、板状の底部外壁１ｇと、底部外壁１ｇの上方に配置された板状の底部内壁１ｈとを有し、底部外壁１ｇと底部内壁１ｈとの間には、中空空間１ｉが形成され、底部内壁１ｈには、収容空間１ｓと中空空間１ｉとを連通させる内側連通部１ｊが形成され、底部外壁１ｇには、中空空間１ｉと外部とを連通させる外側連通部１ｋが形成され、鉛直方向から見たときに、内側連通部１ｊの水平方向の位置と外側連通部１ｋの水平方向の位置が、異なっている。【選択図】図２
2020021811.tif 000002
【特許請求の範囲】
【請求項１】
機器が収容される収容空間（１ｓ）を形成する機器収容箱であって、
鉛直方向下方側に配置される底部（１ｆ）は、板状の底部外壁（１ｇ）と、前記底部外壁の上方に配置された板状の底部内壁（１ｈ）とを有し、
前記底部外壁と前記底部内壁との間には、中空空間（１ｉ）が形成され、
前記底部内壁には、前記収容空間と前記中空空間とを連通させる内側連通部（１ｊ）が形成され、
前記底部外壁には、前記中空空間と外部とを連通させる外側連通部（１ｋ）が形成され、
鉛直方向から見たときに、前記内側連通部の水平方向の位置と前記外側連通部の水平方向の位置が、異なっている機器収容箱。
【請求項２】
前記外側連通部は、下側に突出する形状である請求項１に記載の機器収容箱。
【請求項３】
前記外側連通部の通路断面積は、下方に向かって小さくなっている請求項２に記載の機器収容箱。
【請求項４】
前記外側連通部の外縁の断面積は、下方に向かって小さくなっている請求項２又は３に記載の機器収容箱。
【請求項５】
前記底部外壁は、下側に突出する形状であり、
前記外側連通部は、前記底部外壁の高さが最も低くなる位置に形成されている請求項１ないし４のいずれか１つに記載の機器収容箱。
【発明の詳細な説明】
【技術分野】
【０００１】
本発明は、機器収容箱に関する。
【背景技術】
【０００２】
電気機器等の機器を収容する機器収容箱には、内部に侵入した水を外部に排出するための内側連通部が形成されているのが一般的である。ところが、この機器収容箱に、雨水を含む風が吹き付けられた場合には、内側連通部から機器収容箱の内部に水が侵入するおそれがある。
【０００３】
そこで、特許文献１に示されるように、内側連通部が内側連通部栓で塞がれた機器収容箱が提案されている。この内側連通部栓は、内側連通部を外部から塞ぐ円板部と、円板部を内側連通部に係合させる複数の係合片とから構成されている、そして、排水用溝が、円板部には複数の係合片の間から円板部の外縁に向けて形成されている。機器収容箱内に水が侵入した場合には、この水が排水用溝から機器収容箱の外部に排出されるようになっている。
【先行技術文献】
【特許文献】
【０００４】
【特許文献１】特開２０１１−２３８６７６号公報
【発明の概要】
【発明が解決しようとする課題】
【０００５】
しかしながら、特許文献１に示される機器収容箱は、内側連通部栓のような別部材を機器収容箱の箱本体とは別に設ける必要が有るので、機器収容箱の製造コストが上がってしまう。
【０００６】
本発明は、内側連通部からの水の侵入を抑制することができる機器収容箱を低コストで提供することを目的とする。
【課題を解決するための手段】
【０００７】
上記目的を達成するために、請求項１に記載の機器収容箱は、機器が収容される収容空間（１ｓ）を形成する機器収容箱であって、
鉛直方向下方側に配置される底部（１ｆ）は、板状の底部外壁（１ｇ）と、底部外壁の上方に配置された板状の底部内壁（１ｈ）とを有し、底部外壁と底部内壁との間には、中空空間（１ｉ）が形成され、底部内壁には、収容空間と中空空間とを連通させる内側連通部（１ｊ）が形成され、底部外壁には、中空空間と外部とを連通させる外側連通部（１ｋ）が形成され、鉛直方向から見たときに、内側連通部の水平方向の位置と外側連通部の水平方向の位置が、異なっている。
【０００８】
これによれば、鉛直方向から見たときに、内側連通部の水平方向の位置と外側連通部の水平方向の位置が、異なっているので、外側連通部と内側連通部の位置が離れている。このため、外側連通部から中空空間内に水が侵入したとしても、中空空間内に侵入した水が内側連通部から機器収容箱の内部に侵入し難い。よって、機器収容箱の内部への水の侵入を抑制することができる。
【０００９】
また、外部からの水の侵入を抑制するための別部材を設けること無く、機器収容箱の内部への水の侵入を抑制することができるので、機器収容箱の製造コストを低減させることができ、機器収容箱を低コストで提供することができる。
【００１０】
なお、この欄及び特許請求の範囲で記載した各手段の括弧内の符号は、後述する実施形態に記載の具体的手段との対応関係を示す一例である。
【図面の簡単な説明】
【００１１】
【図１】第１実施形態の機器収容箱の分解斜視図である。
【図２】図１のＩＩ−ＩＩ断面図である。
【図３】第２実施形態の機器収容箱の断面図である。
【発明を実施するための形態】
【００１２】
以下に図１及び図２を用いて、第１実施形態の機器収容箱１０について説明する。機器収容箱１０は、電気機器等の機器を収容する箱である。本実施形態では、機器収容箱１０は、内部に電気制御装置が収容される。機器収容箱１０は、本体部１と、蓋部２とから構成されている。
【００１３】
図１に示すように、本体部１は、直方体形状である。本体部１には、機器が収容される収容空間１ｓが形成されている。本体部１の鉛直方向の下方側には、底部１ｆが形成されている。本体部１の底部１ｆ以外の一面には、四角形状に開口した窓穴１ａが形成されている。窓穴１ａの外周側には、枠部１ｂが形成されている。枠部１ｂには、複数の取付ネジ穴１ｃが形成されている。
【００１４】
図２に示すように、本体部１の各面は、板状の外壁１ｄと、この外壁１ｄの内側に離れて配置された板状の内壁１ｅとから構成された中空二重壁構造となっている。
【００１５】
本体部１の底部１ｆもまた、板状の底部外壁１ｇと、この底部外壁１ｇの内側（上方）に離れて配置された板状の底部内壁１ｈとから構成された中空二重壁構造となっている。底部外壁１ｇと底部内壁１ｈとの間には、中空空間１ｉが形成されている。底部内壁１ｈには、機器が載置される。底部外壁１ｇ及び底部内壁１ｈは、水平に形成されている。
【００１６】
底部内壁１ｈには、収容空間１ｓと中空空間１ｉとを連通させる内側連通部１ｊが形成されている。底部外壁１ｇには、中空空間１ｉと外部とを連通させる外側連通部１ｋが形成されている。鉛直方向から見たときに、内側連通部１ｊの水平方向の位置と外側連通部１ｋの水平方向の位置は、異なっている。
【００１７】
蓋部２は、四角形状の板である。蓋部２には、複数の通し穴２ａが形成されている。図示しない取付ネジが各通し穴２ａに挿通して、各取付ネジ穴１ｃにねじ込まれて、蓋部２が窓穴１ａを閉塞するように枠部１ｂに取り付けられている。
【００１８】
本体部１及び蓋部２は、合成樹脂で構成されている。本体部１の製造方法は以下のとおりである。まず、ブロー成形によって、本体部１の中間生成物を形成する。その際に、中間生成物の吹き込み口となる部位を、内側連通部１ｊ及び外側連通部１ｋのいずれか一方とする。そして、中間生成物に対して、穴開け加工を施すことによって、内側連通部１ｊ及び外側連通部１ｋのいずれか他方を形成する。
【００１９】
以上の説明から明らかなように、鉛直方向から見たときに、内側連通部１ｊの水平方向の位置と外側連通部１ｋの水平方向の位置が、異なっている。これによれば、外側連通部１ｋと内側連通部１ｊが離れているため、外側連通部１ｋから中空空間１ｉ内に水が侵入したとしても、中空空間１ｉ内に侵入した水が内側連通部１ｊから機器収容箱１０の内部に侵入し難い。よって、機器収容箱１０の内部への水の侵入を抑制することができる。
【００２０】
また、機器収容箱１０の内部に水が侵入したとしても、この水を内側連通部１ｊから中空空間１ｉに流出させて、この水を外側連通部１ｋから機器収容箱１０の外部に排出することができる。
【００２１】
また、外部からの水の侵入を抑制するための別部材を設けること無く、機器収容箱１０の内部への水の侵入を抑制することができる。このため、機器収容箱１０の製造コストを低減させることができ、機器収容箱１０を低コストで提供することができる。
【００２２】
また、ブロー成形によって中間生成物を形成し、この中間生成物に穴開け加工を施すことによって本体部１を形成しているので、本体部１の製造コストを低減させることができ、ひいては、機器収容箱１０の製造コストを低減させることができる。
【００２３】
（第２実施形態）
以下に、図３を用いて、第１実施形態の機器収容箱１０と異なる点について、第２実施形態の機器収容箱２０を説明する。
【００２４】
第２実施形態の機器収容箱２０では、底部外壁１ｇは、下側に突出する形状であり、頂部を下方とする扁平な四角錐筒形状である。つまり、底部外壁１ｇは、底部外壁１ｇの幅方向の中央部に向けて低くなるように傾斜している。
【００２５】
そして、外側連通部１ｋは、底部外壁１ｇの高さが最も低くなる位置に形成されている。つまり、外側連通部１ｋは、底部外壁１ｇの突出した頂部に配置されている。
【００２６】
外側連通部１ｋは、下側に突出する形状である。外側連通部１ｋは、四角錐台筒形状、又は円錐台筒形状である。外側連通部１ｋは、上方（基端側）から下方（先端側）に位置するに従って、外面及び内面間の幅が小さくなるように、先端に向かって絞られている。つまり、外側連通部１ｋの通路断面積は、下方に向かって小さくなっている。また、外側連通部１ｋの外縁の断面積は、下方に向かって小さくなっている。
【００２７】
以上の説明から明らかなように、第２実施形態の機器収容箱２０の外側連通部１ｋは、下側に突出する形状である。これによれば、機器収容箱２０に水を含む風が吹き付けられた場合に、風に含まれる水が外側連通部１ｋの外周面に当接する。このため、水の外側連通部１ｋから中空空間１ｉ内への侵入をより抑制することができる。
【００２８】
また、外側連通部１ｋの通路断面積は、下方に向かって小さくなっている。これによれば、外側連通部１ｋの開口部の通路断面積は、外側連通部１ｋの基端側の通路断面積よりも小さいので、機器収容箱２０に水を含む風が吹き付けられた場合に、水の外側連通部１ｋから中空空間１ｉ内への侵入をより一層抑制することができる。また、外側連通部１ｋの基端側の通路断面積は、外側連通部１ｋの開口部の通路断面積よりも大きいので、中空空間１ｉ内にある水を、外側連通部１ｋを介して確実に外部に排出することができる。
【００２９】
また、外側連通部１ｋの外縁の断面積は、下方に向かって小さくなっている。これにより、外側連通部１ｋは、上方から下方に位置するに従って、外面の幅が小さくなるように、先端に向かって絞られている。このため、機器収容箱２０に水を含む風が吹き付けられ、風に含まれる水が外側連通部１ｋの外周面に当接した場合に、この水が外側連通部１ｋの下方に導かれて、外側連通部１ｋの下端から流れ落ちる。この結果、水の外側連通部１ｋから中空空間１ｉ内への侵入を、より一層抑制することができる。
【００３０】
また、底部外壁１ｇは、下側に突出する形状である。そして、外側連通部１ｋは、底部外壁１ｇの高さが最も低くなる位置に形成されている。これによれば、内側連通部１ｊから中空空間１ｉ内に流出した水が、外側連通部１ｋに向けて流れる。このため、中空空間１ｉ内に流出した水を、確実に外側連通部１ｋから機器収容箱２０の外部に排出させることができ、中空空間１ｉ内に水が滞留することを防止することができる。
【００３１】
（別の実施形態）
本体部１の底部１ｆ以外の各面は、中空二重壁構造でなく、１つの壁面で構成されていてもよい。
【００３２】
第２実施形態の機器収容箱２０において、外側連通部１ｋは、円筒形状又は角筒形状であってもよい。
【符号の説明】
【００３３】
１ｆ  底部
１ｇ  底部外壁
１ｈ  底部内壁
１ｉ  中空空間
１ｊ  内側連通部
１ｋ  外側連通部
１ｓ  収容空間
【図１】
2020021811.tif 000003
【図２】
2020021811.tif 000004
【図３】
2020021811.tif 000005